【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
パチンコ機用回路基板を収納するケース本体と、該ケース本体に蓋をする蓋体とを備え、該蓋体および前記ケース本体を互いに離脱困難に封止するパチンコ機用基板ケースの封止構造において、
鞘状部材からなる第１基台部と、
鞘状部材からなる第２基台部と、
一部位のみが前記蓋体に固定され、前記第１基台部の穴に差し込む部材と、
一部位のみが前記ケース本体に固定され、該ケース本体に前記蓋体を被せた際に、前記第１基台部の穴に差し込む部材と逆方向に前記第２基台部の穴に差し込む部材と、
前記第２基台部および前記第１基台部を夫々ケース本体および蓋体に取り付けた状態で、該第２基台部および該第１基台部を互いに固着するための基台部固着手段と、
を備えることを特徴とするパチンコ機用基板ケースの封止構造。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明は、これらの課題に鑑みなされたもので、請求項１に記載のパチンコ機用基板ケースの封止構造（以下、単に封止構造とも言う）は、任意の回数の解封に対応可能とすることを目的としている。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
【課題を解決するための手段】
かかる課題を解決するためになされた請求項１に記載の本発明は、パチンコ機用回路基板を収納するケース本体と、該ケース本体に蓋をする蓋体とを備え、該蓋体および前記ケース本体を互いに離脱困難に封止するパチンコ機用基板ケースの封止構造において、鞘状部材からなる第１基台部と、鞘状部材からなる第２基台部と、一部位のみが前記蓋体に固定され、前記第１基台部の穴に差し込む部材と、一部位のみが前記ケース本体に固定され、該ケース本体に前記蓋体を被せた際に、前記第１基台部の穴に差し込む部材と逆方向に前記第２基台部の穴に差し込む部材と、前記第２基台部および前記第１基台部を夫々ケース本体および蓋体に取り付けた状態で、該第２基台部および該第１基台部を互いに固着するための基台部固着手段とを備えることを特徴とする。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】変更
【補正の内容】
【００４９】
【発明の実施の形態】
請求項１に記載の封止構造では、第１基台部の差し込み方向とは逆方向の移動を第２基台部が阻み、逆に、第２基台部の差し込み方向とは逆方向の移動を第１基台部が阻む。
【手続補正４２】
【補正対象書類名】明細書
【補正対象項目名】００５２
【補正方法】削除
【補正の内容】
【手続補正４３】
【補正対象書類名】明細書
【補正対象項目名】００５３
【補正方法】削除
【補正の内容】
【手続補正４４】
【補正対象書類名】明細書
【補正対象項目名】００５４
【補正方法】削除
【補正の内容】
【手続補正４５】
【補正対象書類名】明細書
【補正対象項目名】００５５
【補正方法】変更
【補正の内容】
【００５５】
【参考例】
以下に参考例を図面と共に説明する。
まず、図１は本参考例のパチンコ機用基板ケース１を示す斜視図である。本図に示すように、パチンコ機用基板ケース１は、略直方体のケースであり、制御装置を構成する回路基板が固定されたケース本体３に蓋体５を被せることにより、外界から、回路基板を保護している。ケース本体３と蓋体５の固定は、本図において上面および下面に夫々４組ずつ設けられたボス対７によって行なわれる。ボス対７は、蓋体５側に設けられた第１ボス９と、ケース本体３側に設けられた第２ボス１１を主要部として構成されている。なお、各第１ボス９には、ボス蓋１３が設けられている。
【手続補正４６】
【補正対象書類名】明細書
【補正対象項目名】００５９
【補正方法】変更
【補正の内容】
【００５９】
本図に示すように第１ボス９は、略円柱状の部材であり、円盤状のボス蓋１３がその上面３１に２本の繋ぎ部３３にて連結されている。この繋ぎ部３３には、折目３５が形成されており、ここで繋ぎ部３３を折り曲げるとボス蓋１３を上面３１に重合させることができる。
【手続補正４７】
【補正対象書類名】明細書
【補正対象項目名】００６３
【補正方法】変更
【補正の内容】
【００６３】
折目３５にて繋ぎ部３３を折り曲げていくと、図４（ｂ）に示すように切欠４９が爪３９に接近し、更に折り曲げるとボス蓋１３、爪３９が弾性変形してボス蓋１３が包囲部３７内に嵌まりこみ、図４（ｃ）の状態となる。この状態では、ボス蓋１３が上面３１に重合されており、爪３９は切欠４９に係合して、この重合が解けるのを防止する。しかも、ボス蓋１３の上面（ハッチングが施された面）、包囲部３７の上部、および爪３９の上部が面一となる。この面には指先などを引っ掛ける箇所がないため、ボス蓋１３を上面３１から引き剥がすのは困難である。
【手続補正４８】
【補正対象書類名】明細書
【補正対象項目名】００６５
【補正方法】変更
【補正の内容】
【００６５】
図５（ａ）に示すように、締結する前からタッピンねじ２９は、貫通穴４３から離脱しない程度にねじ込まれている。図５（ａ）の状態からまず、タッピンねじ２９を貫通穴４３、螺合穴４５にねじ込んでいく。タッピンねじ２９の頭部の裏側が座繰り４１の中に更に形成されている座繰り５１の底面に当接すると締結は完了する。そしてボス蓋１３を上面３１に重合させ、切欠４９を爪３９に係合させると、封止は完了し、図５（ｂ）の状態となる。なお、第１ボス９、第２ボス１１、ボス蓋１３、タッピンねじ２９、貫通穴４３、螺合穴４５、第１連結部４７、および第２連結部１５が、本発明の基台部固着手段に相当する。
【手続補正４９】
【補正対象書類名】明細書
【補正対象項目名】００６８
【補正方法】変更
【補正の内容】
【００６８】
図６（ａ）に示すように蓋体５には、４本の溝５３が形成されており、第１基台部１９は、その上下面を為す２枚の板を４枚の短冊状の板で繋いだ構造をしている。この短冊状の板が溝５３に入り込み、上下面を為す２枚の板が蓋体５の縁を挟むことにより、第１基台部１９が蓋体５に取り付けられる。第２基台部１７は、第１基台部１９と略同様の構造をしており、ケース本体３に形成されている４本の溝５５に対して取り付けられる。すなわち、第１基台部１９および第２基台部１７は、夫々蓋体５およびケース本体３に対して着脱自在にされている。
【手続補正５０】
【補正対象書類名】明細書
【補正対象項目名】００７５
【補正方法】変更
【補正の内容】
【００７５】
尚、前記参考例では、第１ボス９を蓋体５に、第２ボス１１をケース本体３に設けたが、タッピンねじ２９の締結等に支障がなければ、逆にしてもよい。また、幾つかの第１ボス９は蓋体５に設け、残りの第１ボス９はケース本体３に設ける、という形態でもよい。
【手続補正５１】
【補正対象書類名】明細書
【補正対象項目名】００７６
【補正方法】変更
【補正の内容】
【００７６】
第１ボス９および第２ボス１１を円柱状にしたが、四角柱や断面が楕円の柱など、その他の形状にしてもよい。また、両ボスの形状が異なっていてもよい。例えば、第２ボス１１が円柱で、第１ボス９が五角柱でもよい。
つまり、両ボス９、１１に対する数および形状の要件は、蓋体５にてケース本体３の蓋をしたときに、貫通穴４３と螺合穴４５が整合し、タッピンねじ２９による締結が可能になっていればよい。
このように第１ボス９の形状を変更するならば、これに併せてボス蓋１３の形状も変えて構わない。但し、包囲部３７の形状は、ボス蓋１３の外周の形状や厚さに対応させるのが望ましい。例えば、ボス蓋１３の形状を正方形にしたならば、包囲部３７の内周側が同じ大きさの正方形となるようにし、高さをボス蓋１３の厚さに揃えておく。こうすれば、前記参考例と同様に、ボス蓋１３を開放することができず、封止状態を守ることができる。
【手続補正５２】
【補正対象書類名】明細書
【補正対象項目名】００７７
【補正方法】変更
【補正の内容】
【００７７】
但し、包囲部３７、爪３９、および切欠４９を例えば図７に示したようなものに変えてもよい。なお、前記参考例と同じ名称の部位については同じ符号を付している。
この態様では図７（ａ）に示すように、ボス蓋１３から切欠４９を廃し、代わりに柔軟性のバンド６１を設けている。バンド６１には鋸歯状の逆止片Ｋが形成されている。一方、第１ボス９には止め部６３を設けている。止め部６３はコ字型をしており、挿入口６５が形成されている。ボス蓋１３を上面３１に重合させつつ、バンド６１を挿入口６５に差し込むと、図７（ｂ）のようになる。このときの止め部６３内の様子を図８に示す。
【手続補正５３】
【補正対象書類名】明細書
【補正対象項目名】００７９
【補正方法】変更
【補正の内容】
【００７９】
従って、これらバンド６１および止め部６３を採用した第１ボス９も、包囲部３７、爪３９、および切欠４９と略同様の効果を奏する。
更に、包囲部３７、爪３９、および切欠４９と略同様の効果を図９に示したようなもので実現することもできる。この態様では、ボス蓋１３に耳片６７を設け、更にこの耳片６７に突起６９を設けている。突起６９は、根元部６９ａは中が詰まっているが、先端部６９ｂは円筒状にされている。一方、第１ボス９にも、ボス蓋１３を上面３１に重合させた際に耳片６７と整合する耳片７１が設けられており、これには突起６９を挿通させるための穴７３が形成されている。
【手続補正５４】
【補正対象書類名】明細書
【補正対象項目名】００８０
【補正方法】変更
【補正の内容】
【００８０】
ボス蓋１３を上面３１に重合させ、突起６９を穴７３に挿通させると、図９（ｂ）のようになる。これだけでは、簡単にボス蓋１３を取り外せてしまうので、先端部６９ｂを加熱して潰す。すると図９（ｃ）のようになり、ボス蓋１３を取り外すことができなくなる。なお、先端部６９ｂを潰すに際し、先端部６９ｂが中空にされていることにより、小さな力で潰すことができる。このように耳片６７，７１、突起６９、および穴７３を採用しても、図３や図７に示した態様と同様の効果を奏する。
【手続補正５５】
【補正対象書類名】明細書
【補正対象項目名】００８１
【補正方法】変更
【補正の内容】
【００８１】
更に、包囲部３７、爪３９、および切欠４９と略同様の効果を図１０に示したような構成にて実現してもよい。この態様では、図１０（ａ）に示すように、ボス蓋１３に突起７５を設け、上面３１にこの突起７５が入りこむ穴７９を形成している。突起７５の側面には凹凸８１が形成されており、穴７９に接着剤を入れて、図１０（ｂ）のようにボス蓋１３を上面３１に重合させると、突起７５を穴７９にしっかりと固着することができる。このように突起７５および穴７９を採用しても、図３、図７、および図９に示した態様と略同様の効果を奏する。
【手続補正５６】
【補正対象書類名】明細書
【補正対象項目名】００８２
【補正方法】変更
【補正の内容】
【００８２】
【実施例】
ここで、本発明を前記参考例に適用した実施例について説明する。
本実施例では、図１１に示すように、第１基台部１９を鞘状部材にし、この鞘に入れる刀に相当する部材８３を蓋体５に設ける。部材８３と蓋体５は部位８３ａのみによって固定されている。第１基台部１９を矢印Ｅの方向に移動させ、部位８３ａを穴８１に入れて取り付ける。なお部位８３ａは、第１基台部１９の矢印Ｅ方向の移動のストッパーを兼ねている。第２基台部１７のケース本体３への取り付けも同様にして行なうが、部材８５を第２基台部１７の穴（図示しない）に差し込む際の移動方向Ｇが矢印Ｅとは逆になっている。
【手続補正５７】
【補正対象書類名】明細書
【補正対象項目名】００８４
【補正方法】変更
【補正の内容】
【００８４】
従って、図１１に示した第１基台部１９、第２基台部１７の取付方法は、図６に示した態様と略同様の効果を奏することができる。
また、図１２に示すように、第１基台部１９を大型化して、タッピンねじ２９を収納する箱９１を設けてもよい。本図では第１ボス９にタッピンねじ２９をねじ込んでいるが、箱９１を設け、この中にタッピンねじ２９を入れておくことにより、第１ボス９にタッピンねじ２９をねじ込む工程が不要となる。すなわち、前記参考例や前記実施例では、解封を行なうか否かに関わらず、全ての貫通穴４３にタッピンねじ２９をねじ込んでおく必要があったが、この態様では、出荷時の封止に用いる数だけねじ込み、封止しておけばよい。なお、貫通穴４３にタッピンねじ２９をねじ込んでおく態様においても、箱９１を設けておけば、ここに予備のタッピンねじ２９を入れておくことができる。
【手続補正５８】
【補正対象書類名】明細書
【補正対象項目名】００８６
【補正方法】変更
【補正の内容】
【００８６】
このように２重に封止状態を守るには、ねじ１２０以外の態様でもよい。緩めてボス対７の締結を解くことができないようにする態様であれば、その他の形態を採用することができる。
また、第１ボス９や第２連結部１５の原料としてＡＢＳ樹脂を用いたが、封止の際の切断や成形等に支障がなければ、ポリカーボネート、塩化ビニル等の合成樹脂や、合成樹脂以外の材料を用いても構わない。
【手続補正５９】
【補正対象書類名】明細書
【補正対象項目名】図面の簡単な説明
【補正方法】変更
【補正の内容】
【図面の簡単な説明】
【図１】  参考例のパチンコ機用基板ケース１の斜視図である。
【図２】  パチンコ機用基板ケース１のケース本体３に蓋体５を取り付ける前の状態を示す斜視図である。
【図３】  第１ボス９および第２ボス１１の詳細を示す説明図である。
【図４】  ボス蓋１３による封止を説明するための拡大図である。
【図５】  封止の仕方を説明するための断面図である。
【図６】  第１基台部１９の蓋体５への取り付け方等を示す説明図である。
【図７】  固定部の第２の態様を示す説明図である。
【図８】  バンド６１と止め部６３による封止の仕組みを示す説明図である。
【図９】  固定部の第３の態様を示す説明図である。
【図１０】  固定部の第４の態様を示す説明図である。
【図１１】  実施例における第１基台部および第２基台部を示す説明図である。
【図１２】  第１基台部１９にタッピンねじ２９を収納する箱９１を設けた様子を示す説明図である。
【図１３】  従来のパチンコ機用基板ケースの封止構造の説明図である。
【図１４】  従来のパチンコ機用基板ケースの封止構造に用いられるねじの説明図である。
【符号の説明】
１…パチンコ機用基板ケース  ３…ケース本体
５…蓋体      ９…第１ボス    １１…第２ボス
１３…ボス蓋              １５…第２連結部
１７…第２基台部          １９…第１基台部
２３…回路基板            ２９…タッピンねじ
３１…上面（一底面）      ３３…繋ぎ部
３７…包囲部    ３９…爪  ４１…座繰り
４３…貫通穴    ４５…螺合穴
４７…第１連結部          ４９…切欠